(57)【要約】  【課題】運搬時における建材用パネルの破損を防止し、且つ、パネルの積み卸し作業等を容易にする。  【解決手段】矩形状パネル１の側縁部における相対峙する４箇所に止着具２を取り付ける。止着具２は発泡合成樹脂、ゴム等のクッション材より成り、且つ、一側面部に凹溝部３を有する縦断面略コ字状に形成する。又、止着具２は、凹溝部３にパネル１の側縁部を着脱可能に嵌着固定する。更に、パネル１は止着具２を取り付けたまま、平積み状態又は立て掛け状態で運搬する。止着具２はクッション性を有するので、振動・衝撃等によるパネル１の破損を防止する。【選択図】  図１
2007284064.tif 000002
【特許請求の範囲】
【請求項１】
セラミック板等の建材用パネルの側縁部における相対峙する４箇所に夫々取り付けられる４個の止着具を備え、該止着具は、発泡合成樹脂、ゴム等のクッション材より成り、且つ、一側面部に凹溝部を有する縦断面略コ字状に形成され、該凹溝部に前記パネル側縁部が着脱可能に嵌合固定されるようにしたことを特徴とするパネル運搬装置。
【請求項２】
上記止着具は、その一側面部に対して他側面部が所定角度で傾斜するように形成されていることを特徴とする請求項１記載のパネル運搬装置。
【請求項３】
上記請求項１又は２記載のパネル運搬装置を使用した建材用パネルを運搬する方法であって、上記パネルの側縁部における相対峙する４箇所に夫々止着具を取り付けた後、前記パネルを平積み状態又は立掛台に立て掛けた状態でトラック等にて運搬できるようにしたことを特徴とするパネル運搬方法。
【発明の詳細な説明】
【技術分野】
【０００１】
本発明は、パネル運搬装置及びパネル運搬方法に関するものであり、特に、セラミック板等の建材用パネルを運搬する際に使用されるパネル運搬装置及びパネル運搬方法に関するものである。
【背景技術】
【０００２】
従来、此種建材用パネルをトラック等で運搬する際は、通常、複数のパネルをパレットに平積み状態又は立掛台に立て掛けた状態で運搬している。この場合、運搬中に前記パネルが破損することを防止するために、複数のパネル間に段ボール紙を挟んで運搬することがある（例えば、特許文献１参照）。
【特許文献１】特開平１０−１６７３６２号公報
【発明の開示】
【発明が解決しようとする課題】
【０００３】
上記従来技術によれば、複数のパネル間に段ボール紙を挟んで運搬しても、段ボール紙の衝撃緩和作用が小さいために、運搬中に振動・衝撃が発生して該パネルに割れやクラック等が生じ、十分な破損防止効果が期待できない。又、十分な破損防止効果を得るために、段ボール紙に代えて厚いクッションをパネル全面に敷くことがあるが、この場合は、パネルを一枚ずつ積み卸す作業が非常に面倒になる。
【０００４】
更に、運搬時に前記パネルを荷締めする際に、パネルの角部等が破損しないように当て木を使用することもある。しかし、当て木を使用した場合は、パネルの荷締めに手間がかかり作業効率が著しく低下するという問題があった。
【０００５】
そこで、運搬時におけるパネルの破損を防止し、且つ、該パネルの積み卸し及び荷締め作業を容易にするために解決すべき技術的課題が生じてくるのであり、本発明は該課題を解決することを目的とする。
【課題を解決するための手段】
【０００６】
本発明は、上記目的を達成するために提案されたものであり、請求項１記載の発明は、セラミック板等の建材用パネルの側縁部における相対峙する４箇所に夫々取り付けられる４個の止着具を備え、該止着具は、発泡合成樹脂、ゴム等のクッション材より成り、且つ、一側面部に凹溝部を有する縦断面略コ字状に形成され、該凹溝部に前記パネル側縁部が着脱可能に嵌合固定されるようにしたパネル運搬装置を提供する。
【０００７】
この構成によれば、例えば、複数のパネルを平積みする際、各パネルの側縁部における相対峙する４箇所に夫々止着具を取り付ける。この場合、該止着具の凹溝部に前記パネル側縁部を着脱可能に嵌合固定する。斯くして、複数のパネル間には前記止着具が介在するので、該パネルに振動・衝撃等が負荷しても、該振動・衝撃は止着具の弾性変形作用（クッション作用）により吸収緩和される。
【０００８】
請求項２記載の発明は、上記止着具は、その一側面部に対して他側面部が所定角度で傾斜するように形成されて成るパネル運搬装置を提供する。
【０００９】
この構成によれば、前記止着具の一側面部に対する他側面部の傾斜角は、前記パネルを斜めに立て掛けた時に、該他側面部がパネル設置面と平行になるように設定される。而して、複数のパネルに夫々止着具を取付けたまま該パネルを斜めに立て掛けると、該複数の止着具の他側面部同士は、パネル設置面と平行な略面一状態になる。
【００１０】
請求項３記載の発明は、上記請求項１又は２記載のパネル運搬装置を使用した建材用パネルを運搬する方法であって、上記パネルの側縁部における相対峙する４箇所に夫々止着具を取り付けた後、前記パネルを平積み状態又は立掛台に立て掛けた状態でトラック等にて運搬できるように構成されていることを特徴とするパネル運搬方法を提供する。
【００１１】
この方法によれば、先ず、複数の各パネルの側縁部における相対峙する４箇所に夫々止着具を取り付ける。次に、該パネルを平積み又は立掛台に立て掛けた後、これをバンドで荷締めしてトラック等にて運搬する。斯くして、平積み状態又は立掛け状態の複数のパネル間には止着具が介在するので、該パネルに振動・衝撃等が負荷しても、該振動・衝撃等は止着具のクッション作用により吸収緩和される。
【発明の効果】
【００１２】
請求項１記載の発明は、例えば、平積状態のパネルを運搬中に該パネルに振動・衝撃等が負荷しても、該振動・衝撃等は止着具により吸収緩和されるので、パネルの割れやクラックなどを確実に防止することができる。又、複数のパネル間には間隙が生じるので、パネルを一枚ずつ積み卸す際は、前記間隙に吊り具を挿入してパネルを吊下移送でき、パネルの積み卸し作業を簡易迅速に実行することができる。
【００１３】
請求項２記載の発明は、パネル立掛け時、該パネル下側の止着具下面がパネル設置面と面接触するので、請求項１記載の発明の効果に加えて、立掛け状態のパネルの支持安定性が著しく向上する。又、複数の前記パネル上側の止着具上面が略面一になるので、パネル荷締めの際に、止着具上面全域に荷締め用バンドを均等に押し当てて確実に締め付けることができ、この場合、止着具自体がクッション作用をなすために、パネル角部などを破損させる虞もない。
【００１４】
請求項３記載の発明は、平積み状態又は立掛け状態のパネルに振動・衝撃等が負荷しても、該振動・衝撃等は止着具により吸収緩和されるので、振動・衝撃等によるパネルの破損を確実に防止することができる。又、複数のパネル間には間隙が生じるので、パネルを一枚ずつ積み卸す際は、前記間隙に吊り具を挿入してパネルを吊下移送でき、パネルの積み卸しを簡易迅速に行うことができる。
【００１５】
特に、請求項２記載のパネル運搬装置を使用した場合、パネル立掛け時、該パネル下側の止着具下面がパネル設置面と面接触してパネルの支持安定性が向上する。加えて、各パネル上側の複数の止着具上面が略面一になるので、パネル荷締めの際、パネル角部を破損させることなく、止着具上面全域を荷締め用バンドで容易確実に締め付けることができる。
【発明を実施するための最良の形態】
【００１６】
本発明は、運搬時におけるパネルの破損を防止し、且つ、該パネルの荷締め及び積み卸し作業を容易にするという目的を達成するために、セラミック板等の建材用パネルの側縁部における相対峙する４箇所に夫々取り付けられる４個の止着具を備え、該止着具は、発泡合成樹脂、ゴム等のクッション材より成り、且つ、一側面部に凹溝部を有する縦断面略コ字状に形成され、該凹溝部に前記パネル側縁部が着脱可能に嵌合固定されるようにしたことによって実現した。
【実施例】
【００１７】
以下、本発明の好適な一実施例を図１乃至図３に従って説明する。図１において、１は中空状又は中実状の建材用のパネルであり、該パネル１は、建築物の外装材又は内装材に使用される非金属製板材、例えば、不燃性の繊維混入けい酸カルシウム板又はセメント板（セラミック製パネル）である。このパネル１は長方形に形成され、該パネル１の幅方向Ｗにおける一側部、他側部には夫々嵌合凸部１ａ、嵌合凹部１ｂが形成されている。
【００１８】
パネル１の側縁部における相対峙する４隅部近傍には、それぞれ止着具２が着脱可能に嵌着固定されている。該止着具２は、発泡スチロール、ウレタンゴム等のクッション材より成り、所要の衝撃吸収作用を有している。又、止着具２は、図２に示すように、一側面部に凹溝部３を有する縦断面略コ字状に形成され、該凹溝部３の開口上下幅Ｔは、パネル１の板厚寸法と同等もしくは若干小に設定されている。斯くして、止着具２の凹溝部３をパネル１の側縁部に嵌着させることにより、該パネル１に止着具２が取外し可能に取り付けられる。
【００１９】
パネル１に止着具２を取り付けた時、凹溝部３内側の上下両面は、パネル１表面に適度な弾接力で挟着するため、止着具２はパネル１に移動不能に固定される。尚、凹溝部３の上側開口端部には、パネル１側縁部の嵌め込みを円滑にするためのテーパ面を形成することができる。又、凹溝部３内側の上下両面には、パネル１に対する固定力を高めるべく、滑止め用凹凸模様を刻設することもできる。
【００２０】
而して、上記止着具２を用いてパネル１を施工現場まで運搬する場合は、先ず、複数の各パネル１の４隅部近傍に止着具２を夫々取り付ける。次に、該パネル１にスリングベルト（吊り具）４を巻き付けたのち、該スリングベルト４にフックを引っ掛けてフォークリフトでパネル１を吊り上げ、図３に示すパレット５上にパネル１を載置し、この後、パネル１からスリングベルト４を取り外す。
【００２１】
次に、上記同様にして、図３に示すように、パレット５上に複数のパネル１を上方に平積みしていく。その際、各パネル１に取り付けた上下隣接する止着具２同士は互いに面接触して積み重ねられると共に、複数のパネル１間には止着具２の厚さに応じた間隙Ｓが形成されるため、上下対面するパネル１同士が接触することはない。而して、所定数のパネル１をパレット５上に平積みしたら、該パネル１をパレット５ごとＰＰバンド（荷締め用バンド）Ｂにて荷締めしたのちトラック等で運搬する。尚、トラック等に前記パネル１を搭載する場合、パレット５に前記パネル１を平積みした後、該パネル１をパレット５ごとトラック等に搭載してもよいし、或いは、トラック等に予めパレット５を搭載して該パレット５に前記パネル１を平積みしてもよい。
【００２２】
本実施例では、パネル１に取り付けた止着具２は、パネル１よりも軟質の発泡スチロール、ウレタンゴム等の弾性変形可能な可撓性材料より成るため、パネル１に対して一種の保護クッション部材として機能する。従って、たとえパネル１を多段に高積みした際に最下段のパネル１に大きな荷重が負荷しても、止着具２のクッション効果によりパネル１の破損を未然に防止できる。
【００２３】
又、パネル１を荷締めして積み卸す時、或いは、パネル１をトラック等で運搬している時、パネル１に大きな振動・衝撃等が負荷した場合であっても、この振動・衝撃等は止着具２により吸収緩和されるので、該振動・衝撃等によってパネル１に割れやクラックが発生することを確実に防止できる。
【００２４】
更に、複数のパネル１の間には、従来の如く段ボール紙や厚いクッションを挟み込む必要がないので、複数のパネル１を一枚ずつ積み卸す場合でも、パネル積み卸し作業を簡易・迅速に行うことができる。更に又、複数のパネル１をパレット５ごとトラック等に積み卸することもでき、この場合はパネル積み卸し効率が一層高くなる。
【００２５】
次に、本発明の他の実施例を図４乃至図８に従って説明する。本実施例の特徴は、片面タイル貼りパネルを立掛台に斜めに立て掛けた状態で運搬できるようにした点にある。図４において、６は金属製又は非金属製の角材から成る載置ベースであり、該載置ベース６は、設計条件等に応じて２本又は３本以上設けることができる。又、載置ベース６は角材に限らず板材を使用することがある。更に、載置ベース６の上面には、載置物たるタイル貼りパネル７の損傷を防止するために、保護ゴム等を貼着固定することがある。
【００２６】
前記載置ベース６の中央部には、等脚台形状部を有する立掛台８が設置され、この立掛台８は、互いに背中合わせ状に斜設された一側傾斜部材９及び他側傾斜部材１０を複数対備えている。又、一側傾斜部材９及び他側傾斜部材１０は、相互に直交する方向に延びる複数の第１連結部材１１及び第２連結部材１２によって強固に支持連結されている。
【００２７】
図５に示すように、立掛台８の両側には、複数のタイル貼りパネル７が斜めに立て掛けられている。各タイル貼りパネル７の４隅部にはそれぞれ止着具１３が取り付けられており、該止着具１３は、発泡スチロール、ウレタンゴム等より成る。図６に示すように、止着具１３の一側面部１３ａには凹溝部１４が形成され、凹溝部１４の開口上下幅Ｔは、タイル貼りパネル７の板厚と同等もしくは若干小に寸法設定されている。
【００２８】
又、止着具１３の一側面部１３ａと反対側の他側面部１３ｂは、一側面部１３ａに対して所定角度で傾斜するように設けられ、止着具１３の側面形状は不等脚台形に形成されている。ここでは、前記傾斜角は、複数のタイル貼りパネル７を斜めに立て掛けた時に、各タイル貼りパネル７に取付けた止着具１３の他側面部１３ｂがパネル設置面と平行になるように設定されている。
【００２９】
次に、立掛台８にタイル貼りパネル７を立て掛けて運搬する場合について説明する。先ず、複数の各タイル貼りパネル７両側縁部の４隅部夫々に止着具１３の凹溝部１４を嵌め込むことにより、タイル貼りパネル７に４個の止着具１３を挟着固定する。
【００３０】
続いて、タイル貼りパネル７に止着具１３を取り付けたまま、上記実施例と同じ要領で、タイル貼りパネル７にスリングベルトを巻き付けた後、これをフォークリフトにて吊り上げて立掛台８の一側傾斜部材９まで移送し、この一側傾斜部材９にタイル貼りパネル７を斜めに立て掛ける。
【００３１】
以下、前記と同じ要領で、図７に示すように、立掛台８の一側傾斜部材９に所定数のタイル貼りパネル７を順次立て掛ける。この後、立掛台８の他側傾斜部材１０にも所定数のタイル貼りパネル７を立て掛ける。而して、立掛台８の一側傾斜部材９及び他側傾斜部材１０に所定数のタイル貼りパネル７を立て掛けたら、該タイル貼りパネル７をＰＰバンドＢで荷締めしてトラック等にて運搬する。
【００３２】
本実施例では、側面不等脚台形の止着具１３は、一側面部１３ａに対して他側面部１３ｂが所定角度で傾斜するように形成されている。このため、パネル立掛け状態において、各パネル下側縁部に取り付けた複数の止着具１３の下面１３ｂは、載置ベース６上面と平行な略面一状態になる。従って、図８に示すように、複数の止着具１３下面１３ｂは載置ベース６と面接触するので、タイル貼りパネル７の立掛け時における支持安定性が著しく向上する。
【００３３】
尚、本実施例では、止着具１３は側面不等脚台形に形成したものを用いたが、パネル立掛け時に止着具１３が弾性変形して、該止着具１３下面が載置ベース６と面接触するものであれば、止着具１３の側面形状は不等脚台形に限定されない。
【００３４】
又、各パネル上側縁部に取り付けた複数の止着具１３は、それらの上面も相互に略面一状態になる。従って、パネル荷締め時に、複数の止着具１３上面全域にＰＰバンドＢの緊縛力を均等に付与させることができる。このため、止着具１３自体が弾性的に収縮変形して締め付けられることと相俟って、複数のタイル貼りパネル７全体を一層確実・強固に緊縛することができる。
【００３５】
更に、立て掛け状態の複数のタイル貼りパネル７の間には、止着具１３の厚さに応じた一定の間隙Ｓが形成される。このため、タイル貼りパネル７をトラック等から積み卸す際、該タイル貼りパネル７間の間隙Ｓにストリングベルトを挿入して、該タイル貼りパネル７を容易に吊下移送できるので、パネル積み卸し作業を非常に効率良く実施できる。又、複数のパネル１を立掛台８ごとトラック等に積み卸しすることにより、積み卸し作業効率を一層向上させることができる。
【００３６】
更に又、パネル運搬時に、タイル貼りパネル７に対して大きな振動・衝撃等が水平方向又は上下方向に負荷しても、該振動・衝撃等は止着具１３によって速やかに吸収緩和されるので、タイル貼りパネル７の表面を傷つけたり、或いは、割れやクラックが発生することを確実に防止することができる。
【００３７】
本発明は、本発明の精神を逸脱しない限り種々の改変を為すことができ、そして、本発明が該改変されたものに及ぶことは当然である。
【図面の簡単な説明】
【００３８】
【図１】本発明の一実施例を示し、止着具をパネルに取付けた状態を説明する斜視図。
【図２】一実施例に係る止着具の斜視図。
【図３】図１のパネルを平積みした状態を説明する斜視図。
【図４】本発明の他の実施例を示し、立掛台の斜視図。
【図５】図４の立掛台の両側にタイル貼りパネルを立て掛けたときの状態を説明する正面図。
【図６】本発明の他の実施例に係る止着具の斜視図。
【図７】図４の立掛台の片側にタイル貼りパネルを立て掛けたときの状態を説明する斜視図。
【図８】図７のタイル貼りパネルの下側縁部に固定された止着具の詳細正面図。
【符号の説明】
【００３９】
１      パネル
１ａ    嵌合凸部
１ｂ    嵌合凹部
２      止着具
３      凹溝部
４      パレット
５      スリングベルト（吊り具）
６      載置ベース
７      タイル貼りパネル
８      立掛台
９      一側傾斜部材
１０    他側傾斜部材
１１    第１連結部材
１２    第２連結部材
１３    止着具
１３ａ  一側面部
１３ｂ  他側面部
１４    凹溝部
Ｂ      ＰＰバンド（荷締め用バンド）
【図１】
2007284064.tif 000003
【図２】
2007284064.tif 000004
【図３】
2007284064.tif 000005
【図４】
2007284064.tif 000006
【図５】
2007284064.tif 000007
【図６】
2007284064.tif 000008
【図７】
2007284064.tif 000009
【図８】
2007284064.tif 000010